(57)【特許請求の範囲】
【請求項１】
処理槽本体とその開口部を幅方向にスライドして開閉する扉とから構成され、前記開口部から台車を出し入れされる処理槽と、
前記処理槽本体の開口部と対応して、その手前側の床に設けられ、床と処理槽本体内底面とを架け渡す展開位置と、そのような架け渡しを行わない格納位置との間で可動する外レールと、
前記扉に設けられ、前記外レールと接触しつつ前記扉と共に移動することで、前記扉の開閉に連動して前記外レールを可動させ、前記展開位置と前記格納位置とを切り替える外レール受けと
を備えることを特徴とする食品機械。
【請求項２】
前記外レールは、前記処理槽本体の開口部の手前側の床に固定された固定板と、この固定板の前記処理槽側端部に基端部を保持されてこの基端部まわりに前後に回動可能な可動板とを備え、
前記外レールは、前記可動板の先端部を、前記処理槽本体内底面に架け渡す前記展開位置と、前記処理槽本体内底面よりも上方へ上げた前記格納位置との間を可動し、
前記可動板の裏面が前記外レール受けにもたれかかることで、前記外レール受けは、前記扉の開閉に連動して、前記外レールを展開または格納する
ことを特徴とする請求項１に記載の食品機械。
【請求項３】
前記扉は、幅方向一方へスライドさせて開放され、幅方向他方の外面に前記外レール受けが固定されており、
前記固定板および前記可動板は、それぞれ、平板状の主板部と、この主板部の幅方向両端部に連接された側板部とを備え、
前記固定板は、前記主板部を床面に沿って水平に配置されるか、前記処理槽本体の側へ行くに従って上方へ傾斜して配置され、
前記固定板の前記処理槽側の側板部に、前記可動板の基端部の側板部が、前記固定板の幅方向に沿う軸回りに回転可能に保持され、
前記可動板の主板部は、前記展開位置において、前記固定板の主板部と前記処理槽本体内底面とを連続的に架け渡し、
前記外レール受けは、水平部と、この水平部の前記幅方向他方の端部に連接され前記幅方向他方へ行くに従って下方および後方へ傾斜する傾斜部とを備え、
前記可動板の主板部の裏面が前記外レール受けにもたれかかることで、前記外レール受けは、前記扉の開閉に連動して、前記外レールを展開または格納する
ことを特徴とする請求項２に記載の食品機械。
【発明の詳細な説明】
【技術分野】
【０００１】
本発明は、処理槽に台車ごと被処理物が出し入れされる各種食品機械に関するものである。
【背景技術】
【０００２】
従来、下記特許文献１に開示されるように、処理槽（２）に台車（１４）ごと被処理物（４）が出し入れされる食品機械が知られている。処理槽（２）に台車（１４）を出し入れするために、処理槽外の床面と処理槽内の底面とは渡し板（１５）で架け渡され、この渡し板（１５）の上を台車（１４）が走行する。
【先行技術文献】
【特許文献】
【０００３】
【特許文献１】特開２０１４−１１９１１９号公報（図１）
【発明の概要】
【発明が解決しようとする課題】
【０００４】
しかしながら、従来構成では、処理槽に対し被処理物を出し入れしようとする度に、渡し板を手動で設置または収納する必要がある。渡し板を、床への固定板と、この固定板に対する可動板とから構成し、固定板と処理槽内底面とを可動板で架け渡すか否かを切り替える構成にするにしても、その切替操作を手動で行う必要がある。
【０００５】
このように、渡し板（可動板）の操作が、台車の出し入れの操作とは別途必要になることから、操作性に改善の余地がある。また、もし、渡し板（可動板）の操作を忘れたまま扉の開閉を行うと、扉や渡し板（可動板）を破損させるおそれもある。
【０００６】
そこで、本発明が解決しようとする課題は、処理槽に台車が出し入れされる各種食品機械において、処理槽外の床面と処理槽内の底面とを架け渡す部材を、扉の開閉に応じて自動で展開または格納させることにある。これにより、操作性の改善と、操作忘れによる破損とを防止することを課題とする。
【課題を解決するための手段】
【０００７】
本発明は、前記課題を解決するためになされたもので、請求項１に記載の発明は、処理槽本体とその開口部を幅方向にスライドして開閉する扉とから構成され、前記開口部から台車を出し入れされる処理槽と、前記処理槽本体の開口部と対応して、その手前側の床に設けられ、床と処理槽本体内底面とを架け渡す展開位置と、そのような架け渡しを行わない格納位置との間で可動する外レールと、前記扉に設けられ、前記外レールと接触しつつ前記扉と共に移動することで、前記扉の開閉に連動して前記外レールを可動させ、前記展開位置と前記格納位置とを切り替える外レール受けとを備えることを特徴とする食品機械である。
【０００８】
請求項１に記載の発明によれば、処理槽外の床面と処理槽内の底面とを架け渡す外レールを、扉の開閉に応じて自動で展開または格納することができる。これにより、外レールの可動を手動で行う必要がなくなり、また、操作忘れによる扉や外レールの破損も防止される。
【０００９】
請求項２に記載の発明は、前記外レールは、前記処理槽本体の開口部の手前側の床に固定された固定板と、この固定板の前記処理槽側端部に基端部を保持されてこの基端部まわりに前後に回動可能な可動板とを備え、前記外レールは、前記可動板の先端部を、前記処理槽本体内底面に架け渡す前記展開位置と、前記処理槽本体内底面よりも上方へ上げた前記格納位置との間を可動し、前記可動板の裏面が前記外レール受けにもたれかかることで、前記外レール受けは、前記扉の開閉に連動して、前記外レールを展開または格納することを特徴とする請求項１に記載の食品機械である。
【００１０】
請求項２に記載の発明によれば、外レールを、床への固定板と、この固定板に対する可動板とから構成し、固定板と処理槽本体内底面とを可動板で架け渡すか否かを切り替えることができる。しかも、可動板の裏面を扉の外レール受けにもたれかけさせることで、扉の開閉に応じて自動で可動板を可動して、外レールを展開または格納することができる。
【００１１】
さらに、請求項３に記載の発明は、前記扉は、幅方向一方へスライドさせて開放され、幅方向他方の外面に前記外レール受けが固定されており、前記固定板および前記可動板は、それぞれ、平板状の主板部と、この主板部の幅方向両端部に連接された側板部とを備え、前記固定板は、前記主板部を床面に沿って水平に配置されるか、前記処理槽本体の側へ行くに従って上方へ傾斜して配置され、前記固定板の前記処理槽側の側板部に、前記可動板の基端部の側板部が、前記固定板の幅方向に沿う軸回りに回転可能に保持され、前記可動板の主板部は、前記展開位置において、前記固定板の主板部と前記処理槽本体内底面とを連続的に架け渡し、前記外レール受けは、水平部と、この水平部の前記幅方向他方の端部に連接され前記幅方向他方へ行くに従って下方および後方へ傾斜する傾斜部とを備え、前記可動板の主板部の裏面が前記外レール受けにもたれかかることで、前記外レール受けは、前記扉の開閉に連動して、前記外レールを展開または格納することを特徴とする請求項２に記載の食品機械である。
【００１２】
請求項３に記載の発明によれば、固定板および可動板は、それぞれ、台車が走行する主板部の幅方向両側に側板部を備えるので、側板部間に案内されて台車を処理槽に対し容易に出し入れすることができる。また、外レール受けは、水平部と傾斜部との簡易な構成で、外レールの可動板を容易に可動することができる。
【発明の効果】
【００１３】
本発明によれば、処理槽に台車が出し入れされる各種食品機械において、処理槽外の床面と処理槽内の底面とを架け渡す外レールを、扉の開閉に応じて自動で展開または格納させることができる。これにより、外レールの可動を手動で行う必要がなくなり、また、操作忘れによる扉や外レールの破損も防止される。
【図面の簡単な説明】
【００１４】
【図１】本発明の一実施例の食品機械の使用状態を示す概略斜視図である。
【図２】図１の食品機械の外レールの概略斜視図であり、格納位置を示している。
【図３】図２の右側面視の縦断面図である。
【図４】図１の食品機械の外レールの概略斜視図であり、展開途中を示している。
【図５】図４の右側面視の縦断面図である。
【図６】図１の食品機械の外レールの概略斜視図であり、展開位置を示している。
【図７】図６の右側面視の縦断面図である。
【発明を実施するための形態】
【００１５】
以下、本発明の具体的実施例を図面に基づいて詳細に説明する。
【００１６】
図１は、本発明の一実施例の食品機械１の使用状態を示す概略斜視図であり、処理槽２の扉３を開くと共に外レール４を展開した状態を示している。また、図２から図７は、外レール４の可動状態を示す図であり、図２および図３は格納位置、図４および図５は展開途中、図６および図７は展開位置（展開完了）を示している。なお、図２、図４および図６は、正面側から見た概略斜視図であり、図３、図５および図７は、右側面側から見た概略縦断面図である。
【００１７】
以下において、処理槽２の手前側（つまり開口部５のある側）を前方、処理槽２の奥側（つまり開口部５と反対側）を後方とし、また、処理槽２の幅方向を左右方向として説明する。
【００１８】
食品機械１は、典型的には、被処理物（食材または食品）６を加熱および／または冷却する装置であり、その種類を特に問わないが、たとえば真空冷却機である。この場合、食品機械１は、被処理物６が収容される処理槽２と、この処理槽２内の気体を外部へ吸引排出して処理槽２内を減圧する減圧手段と、減圧された処理槽２内へ外気を導入して処理槽２内を復圧する復圧手段と、これら各手段を制御する制御手段とを備える。そして、処理槽２内に被処理物６を収容して、処理槽２の扉３を気密に閉じた状態で、減圧手段により処理槽２内を減圧して被処理物６を真空冷却後、復圧手段により処理槽２内を大気圧まで復圧する。
【００１９】
いずれにしても、食品機械１は、被処理物６が収容される処理槽２と、処理槽２外の床面と処理槽２内の底面とを架け渡す外レール４と、扉３の開閉に連動して外レール４を展開または格納する外レール受け７とを備える。以下、各構成を順に説明する。
【００２０】
処理槽２は、前面に開口部５を有する処理槽本体８と、この処理槽本体８の開口部５を幅方向にスライドして開閉する扉３とから構成され、処理槽本体８には前記開口部５から被処理物６が台車９ごと出し入れされる。
【００２１】
処理槽本体８は、略矩形の中空ボックス状に形成され、その中空部は、処理槽本体８の前方へ全面を開口される。処理槽本体８内には、外レール４を介して、被処理物６が台車９ごと出し入れされる。台車９は、四隅に車輪（キャスター）１０を備え、被処理物６が適宜容器に入れられて載せられる。なお、図示例の台車９は、一例であって、これに限定されるものではない。たとえば、台車９は、把手を備えたり、上下に棚を有したワゴン状とされたりしてもよい。
【００２２】
扉３は、略矩形の板状に形成され、処理槽本体８の前面の開口部５を開閉する。扉３は、処理槽本体８の上部に、左右にスライド可能に吊り下げられる。具体的には、図１において、処理槽本体８の前端上部の天板には、左右方向へ沿うと共に処理槽本体８から右側へ延出して吊レール１１が設けられており、この吊レール１１に扉３がスライド可能に吊り下げられている。
【００２３】
図１に示すように、扉３を処理槽本体８に対し右側へ目一杯スライドさせると、処理槽本体８の開口部５を全開させることができ、逆に、図２に示すように、扉３を処理槽本体８に対し左側へ目一杯スライドさせると、処理槽本体８の開口部５を全閉することができる。なお、扉３のスライドは、手動により行われ、このスライド操作時に用いる把手１２が、扉３の外面に設けられている。また、処理槽２には、開口部５を取り囲む位置に、パッキン１３が設けられている。このパッキン１３により、扉３の閉鎖時、処理槽本体８と扉３との隙間が封止される。具体的には、本実施例では、処理槽本体８の開口部５を全閉する位置に扉３を移動させた後、従来公知（前記特許文献１）のとおり、扉３のハンドル引掛部（図示省略）に処理槽本体８のハンドル（図示省略）を引っ掛けて、扉３を処理槽本体８の側へ押し付けて、処理槽本体８の開口部５を、パッキン１３を介して扉３で気密に閉じることができる。
【００２４】
外レール４は、処理槽本体８の開口部５の間口と対応して、その手前側の床に設けられ、床面と処理槽本体８内底面とを架け渡す展開位置（図１，図６，図７）と、そのような架け渡しを行わない格納位置（図２，図３）との間で可動する。なお、処理槽本体８の前端下部の床には、処理槽本体８の前端辺に沿って、左右方向に排水ピット（凹溝）１４が設けられることが多いが、外レール４は、この排水ピット１４上を架け渡すよう展開される。
【００２５】
外レール４は、処理槽本体８の開口部５の手前側の床に固定される固定板１５と、この固定板１５の後端部に基端部を保持されてこの基端部まわりに前後に回動可能な可動板１６とを備える。
【００２６】
固定板１５は、平板状の主板部１７と、この主板部１７の幅方向両端部に連接された側板部１８とを備える。主板部１７は、床面に沿って水平に配置されるか、後方つまり処理槽本体８の側へ行くに従って上方へ傾斜して配置される。
【００２７】
床の一部を掘り込んで処理槽２を設置することで、処理槽本体８内の底面が処理槽本体８外の床面と同一高さに配置される場合には、主板部１７を処理槽本体８外の床面に重ね合わせるように水平に固定すればよい。一方、そのような掘り込みを行わずに処理槽２を設置することで、処理槽本体８内の底面が処理槽本体８外の床面よりも所定寸法だけ高く配置される場合には、処理槽本体８内の底面と処理槽本体８外の床面とを外レール４でスロープ状に架け渡すために、主板部１７を処理槽本体８の側へ行くに従って上方へ傾斜して固定すればよい。本実施例では、適宜の支持材１９で主板部１７を傾斜して保持し、主板部１７は、処理槽本体８の側へ行くに従って上方へ傾斜して配置される。これにより、固定板１５の主板部１７は、前端辺が、床面と接して配置される一方、後端辺が、床面から上方へ浮いた状態で配置される。
【００２８】
いずれにしても、主板部１７は、略矩形の平板から構成される。また、主板部１７の幅方向両端部には、主板部１７の板面と垂直に、所定高さの側板部１８が固定されている。側板部１８は、主板部１７の前後方向へ沿って配置されるが、前端部は、前方へ行くに従って左右方向外側へ広がる拡幅部１８ａとされている。
【００２９】
可動板１６も、固定板１５と同様に、平板状の主板部２０と、この主板部２０の幅方向両端部に連接された側板部２１とを備える。可動板１６の主板部２０は、略矩形の平板から構成され、その幅寸法は固定板１５の主板部１７と略対応している。また、主板部２０の幅方向両端部には、主板部２０の板面と垂直に、所定高さの側板部２１が設けられている。
【００３０】
固定板１５の後端部の左右の側板部１８には、可動板１６の基端部の左右の側板部２１が重ね合わされる。そして、重ね合わされた側板部１８，２１同士は、それぞれ、左右方向に沿う軸２２で連結され、その軸２２まわりに可動板１６が固定板１５に対し前後に回動可能とされる。
【００３１】
処理槽２の扉３を開いた状態で、可動板１６を後方へ倒せば、図１に示すように、処理槽２外の床面と処理槽２内の底面とを、固定板１５および可動板１６の各主板部１７，２０で連続的に接続することができる。つまり、本実施例では、外レール４の展開位置において、固定板１５の主板部１７の後端辺（先端辺）と、可動板１６の主板部２０の前端辺（基端辺）とが、略当接するように配置され、これにより、各主板部１７，２０で一つの平面が形成される（図７）。但し、場合により、外レール４の展開位置において、固定板１５の主板部１７の後端部と、可動板１６の主板部２０の基端部とが、重なり合うよう展開されてもよい。なお、可動板１６は、先端部を後方へ倒された際、展開位置にて位置決めされ、それ以上には倒れない。
【００３２】
外レール４の展開位置についてさらに説明すると、固定板１５の主板部１７が床面に沿って水平に配置される場合（つまり処理槽２を掘り込み設置する場合）、固定板１５の主板部１７と同一平面になるように、可動板１６の主板部２０も水平に展開される。一方、固定板１５の主板部１７が処理槽２の側へ行くに従って上方へ傾斜して配置される場合（つまり処理槽２を掘り込み設置しない場合）には、可動板１６の主板部２０が固定板１５の主板部１７と連続的な傾斜面を構成するように、可動板１６の主板部２０も傾斜して展開される（図１，図６，図７）。この際、図７に示すように、可動板１６の主板部２０の先端部２０ａは、処理槽本体８の開口部５付近（つまり処理槽本体８の前端部）において、処理槽本体８内底面に重ね合わされるように、前記各主板部１７，２０の傾斜面に対し若干屈曲して形成されているのが好ましい。なお、この屈曲箇所（つまり可動板１６の主板部２０の先端部２０ａ）は、それより基端側の箇所よりも若干幅寸法が小さく形成され、側板部２１も設置されない。
【００３３】
一方、外レール４を格納位置へ戻すには、可動板１６の先端部を前記軸２２まわりに上方へ持ち上げるよう回転させればよい。ところで、本実施例では、可動板１６の裏面（図１において下面）には、幅方向に沿って補助材２３が設けられている。本実施例では、補助材２３は、断面略コ字形状の形材から形成され、その中央片が可動板１６の主板部２０の前後方向中途部の裏面に重ね合わされ、左右方向に沿って固定されている。補助材２３は、可動板１６の主板部２０の幅方向全体に亘って設けられるか、可動板１６の主板部２０の幅寸法よりもやや小さい幅寸法で設けられる。
【００３４】
外レール受け７は、扉３に設けられ、外レール４と接触しつつ扉３と共に移動することで、扉３の開閉に連動して外レール４を可動させ、外レール４の展開位置と格納位置とを切り替える。つまり、可動板１６の裏面が外レール受け７にもたれかかることで、外レール受け７は、扉３の開閉に連動して、外レール４を展開または格納する。
【００３５】
本実施例では、扉３を右側へスライドさせて開く構成であるのに伴い、外レール受け７は、扉３の外面の左下部に固定される。また、本実施例では、外レール受け７は、板材から構成され、水平部２４と、この水平部２４の左端部に連接され左側へ行くに従って下方および後方へ傾斜する傾斜部２５と、この傾斜部２５の下端部において左側へ略水平に若干延出する延出部２６とを備える。
【００３６】
水平部２４は、略矩形板状であり、水平に配置される。傾斜部２５は、水平部２４の左端部に連接される板状であり、左側へ行くに従って下方へ傾斜すると共に、左側へ行くに従って幅寸法（前後方向寸法）を減少させるよう前端辺が後方へ傾斜する。延出部２６は、傾斜部２５の下端部に連接され、左側へ若干突出して略水平に配置される。
【００３７】
上述した水平部２４、傾斜部２５および延出部２６は、各後端辺が同一平面内に配置される。そして、水平部２４の後端辺が、扉３の外面に固定される。その際、本実施例では、図２に示すように、水平部２４の左端部を扉３の左端部よりも左側へ突出させ、これにより、傾斜部２５や延出部２６は、扉３の左端部よりも左側に延出して配置される。
【００３８】
図２および図３に示すように、扉３の閉鎖状態では、外レール４は格納位置にある。その状態では、外レール受け７の水平部２４に、可動板１６の主板部２０の裏面がもたれかかった状態にある。本実施例では、可動板１６の主板部２０の裏面に設けた補助材２３が、外レール受け７の水平部２４の上部に載せられている。また、可動板１６は、先端部を上方へ跳ね上げた状態とされ、上方へ行くに従って後方へ傾斜して配置される。
【００３９】
この状態から扉３を開いていくと、外レール受け７の水平部２４に可動板１６の主板部２０の裏面がもたれかかった状態のまま（より詳細には本実施例では水平部２４に補助材２３を載せたまま）、扉３を右側へ開いていくことができる。扉３を右側へ開いていくと、可動板１６の主板部２０の右端部（より詳細には本実施例では補助材２３の右端部）が外レール受け７の水平部２４の左端部よりも左側の傾斜部２５に配置されるようになる。
【００４０】
図４および図５に示すように、可動板１６の主板部２０の右端部が外レール受け７の傾斜部２５に配置されると、可動板１６の主板部２０の裏面が傾斜部２５にもたれかかった状態のまま、扉３を右側へ開くに従って、可動板１６の先端部が後方へ倒れていくことになる。本実施例では、可動板１６の補助材２３の右端部が外レール４の傾斜部２５の上部に保持されつつ、可動板１６が徐々に展開することになる。
【００４１】
図６および図７に示すように、扉３を外レール４の幅以上に右側へ十分に開くと、可動板１６の主板部２０の先端部が処理槽本体８内底面に当たって、外レール４の展開が完了する。この展開位置では、可動板１６の右端部の下方に、外レール受け７の延出部２６が配置された状態となる。この展開位置にて、処理槽２に対し被処理物６を台車９ごと出し入れすることができる。つまり、外レール４の各主板部１７，２０上に台車９を走行させて、処理槽２に台車９を出し入れすることができる。
【００４２】
上記一連の操作とは逆に、扉３を閉める際、まず、外レール受け７の傾斜部２５に可動板１６の主板部２０の裏面（より詳細には本実施例では補助材２３）が載ることになり（図４，図５）、扉３を左側へ移動させるに従って、可動板１６が外レール受け７の傾斜部２５に案内されて、先端部を徐々に上方へ持ち上げられる。やがて、可動板１６の裏面は、外レール受け７の水平部２４に保持され、図２および図３に示す格納位置に戻される。
【００４３】
このように、本実施例の食品機械１によれば、処理槽２外の床面と処理槽２内の底面とを架け渡す外レール４を、扉３の開閉に応じて自動で展開または格納させることができる。これにより、外レール４の可動を別途手動で行う必要がなくなり、操作性がよい。また、外レール４の操作忘れがないので、扉３や外レール４の破損が防止される。
【００４４】
本発明の食品機械１は、前記実施例の構成に限らず、適宜変更可能である。特に、次の（ａ）〜（ｃ）の構成を備えるのであれば、その他の構成は、適宜に変更可能である。
（ａ）処理槽本体８と、この処理槽本体８の開口部５を幅方向にスライドして開閉する扉３とから構成され、前記開口部５から台車９を出し入れされる処理槽２。
（ｂ）処理槽本体８の開口部５と対応して、その手前側の床に設けられ、床と処理槽本体８内底面とを架け渡す展開位置と、そのような架け渡しを行わない格納位置との間で可動する外レール４。
（ｃ）扉３に設けられ、外レール４と接触しつつ扉３と共に移動することで、扉３の開閉に連動して外レール４を可動させ、展開位置と格納位置とを切り替える外レール受け７。
【００４５】
前記実施例では、図１において、扉３は、右側へスライドさせて開放する構成としたが、場合により、左側へスライドさせて開放する構成としてもよい。その場合、扉３の右下部に、外レール受け７を設置し、この外レール受け７は、図１と左右対称形状に形成すればよい。つまり、水平部２４の右側に、右側へ行くに従って下方および後方へ傾斜して傾斜部２５を形成し、その傾斜部２５の下端部に右側へ略水平に延出して延出部２６を設ければよい。
【００４６】
このように、処理槽２の扉３の開閉方向は、適宜に変更可能である。つまり、処理槽２の扉３は、幅方向一方へスライドさせて開放され、幅方向他方の外面に外レール受け７が固定される。また、外レール受け７は、水平部２４と、この水平部２４の幅方向他方の端部に連接され幅方向他方へ行くに従って下方および後方へ傾斜する傾斜部２５とを備える。そして、可動板１６の主板部２０の裏面が外レール受け７にもたれかかることで、外レール受け７は、扉３の開閉に連動して、外レール４を展開または格納する。
【００４７】
また、前記実施例では、可動板１６の裏面に、略コ字形状断面の形材からなる補助材２３を設けたが、この補助材２３の断面形状は、略ロ字形状とするなど、適宜に変更可能である。さらに、場合により、可動板１６の主板部２０の裏面への補助材２３の設置を省略してもよい。その場合も、外レール受け７の前端部に可動板１６の主板部２０の裏面が当接しつつ、扉３の開閉に伴って可動板１６を可動することができる。
【００４８】
また、前記実施例では、外レール受け７は、水平部２４と傾斜部２５と延出部２６とから構成されたが、場合により、延出部２６の設置を省略してもよい。
【００４９】
さらに、前記実施例では、処理槽２の正面にのみ扉３を備えた食品機械１に適用した例を示したが、処理槽２の正面および背面の双方に扉３を備えた両扉式の食品機械１にも同様に適用可能である。その場合、処理槽２の背面側にも、正面側と前後対称に、外レール４や外レール受け７を設置すればよい。具体的には、処理槽２の背面側にも、扉３の開放時に、処理槽２内の底面と処理槽２外の床面とを外レール４で架け渡し可能とし、その外レール４の可動板１６を扉３側の外レール受け７により、扉３の開閉に連動して自動的に可動するようにすればよい。なお、背面側の扉の開放方向は、食品機械１を正面側から見て、正面側の扉３と同一方向でもよいし、逆方向でもよい。
【符号の説明】
【００５０】
１  食品機械
２  処理槽
３  扉
４  外レール
５  開口部
６  被処理物
７  外レール受け
８  処理槽本体
９  台車
１０  車輪（キャスター）
１１  吊レール
１２  把手
１３  パッキン
１４  排水ピット
１５  固定板
１６  可動板
１７  （固定板の）主板部
１８  （固定板の）側板部（１８ａ：拡幅部）
１９  （固定板の）支持材
２０  （可動板の）主板部（２０ａ：先端部）
２１  （可動板の）側板部
２２  軸
２３  補助材
２４  水平部
２５  傾斜部
２６  延出部
【図１】
0006424564.tif 000002
【図２】
0006424564.tif 000003
【図３】
0006424564.tif 000004
【図４】
0006424564.tif 000005
【図５】
0006424564.tif 000006
【図６】
0006424564.tif 000007
【図７】
0006424564.tif 000008